(57)【要約】【課題】良好な製造歩留まり且つ小型の光学系にて、流体物に含まれる特定成分を検出する。【解決手段】気体又は液体からなる流体物に含まれる特定成分を検出する分光式特定成分センサであって、ビーム光を出射する光源２と、筒状に形成されその筒状内部が流体物の流路でありビーム光が照射する検知管３と、流路に対して光源２の対岸側にありビーム光を反射させる光反射体４と、流路に対して光源２と同じ側にあり光反射体４で反射されたビーム光を受光する受光器５と、光源２より光反射体４を経由して受光器５に至る光軸上にビーム光を分光するフィルタ分光部６とを備え、そのフィルタ分光部６に、それぞれが光軸上に挿入するか否かを位置制御されるとともに異なる波長帯の光を透過させる光学多層膜フィルタ６０を複数設ける。【選択図】図１
2005156329.tif 000002
【特許請求の範囲】
【請求項１】
気体又は液体からなる流体物に含まれる特定成分を検出する分光式特定成分センサであって、
ビーム光を出射する光源と、
筒状に形成されその筒状内部が前記流体物の流路であり前記ビーム光が照射する検知管と、
前記流路に対して前記光源の対岸側にあり前記ビーム光を反射させる光反射体と、
前記流路に対して前記光源と同じ側にあり前記光反射体で反射された前記ビーム光を受光する受光器と、
前記光源より前記光反射体を経由して前記受光器に至る光軸上に前記ビーム光を分光するフィルタ分光部とを備え、
そのフィルタ分光部に、それぞれが前記光軸上に挿入するか否かを位置制御されるとともに異なる波長帯の光を透過させる光学多層膜フィルタを複数設けることを特徴とする分光式特定成分センサ。
【請求項２】
前記フィルタ分光部に電磁駆動により位置が変位するアーマチュアを複数設け、
前記アーマチュアはそれぞれ異なる波長帯の光を透過する前記光学多層膜フィルタを備えることを特徴とする請求項１記載の分光式特定成分センサ。
【請求項３】
前記フィルタ分光部に前記光軸に略直交する回転軸を有し回転駆動する回転体を複数設け、
前記回転体の回転角度により前記ビーム光の入射角度が可変し異なる波長帯の光を透過する前記光学多層膜フィルタを前記回転体のそれぞれに備えることを特徴とする請求項１記載の分光式特定成分センサ。
【請求項４】
前記フィルタ分光部に前記光軸に略平行する回転軸を有し回転駆動する回転体を複数設け、
前記回転体の回転方向において膜厚が変化する傾斜厚み多層膜からなり異なる波長帯の光を透過する前記光学多層膜フィルタを前記回転体のそれぞれに備えることを特徴とする請求項１記載の分光式特定成分センサ。
【請求項５】
前記フィルタ分光部に前記光軸と略直交する回転軸を有し回転駆動する機構と、
回転角度検出部とを備え、
前記機構上に異なる波長帯の光を透過する前記光学多層膜フィルタを設けることを特徴とする請求項１記載の分光式特定成分センサ。
【請求項６】
前記受光器の受光素子は焦電素子であり、前記光学多層膜フィルタは、機械的駆動による前記光ビームに対するチョッパー機能を有することを特徴とする請求項１〜５のいずれか記載の分光式特定成分センサ。
【請求項７】
前記光反射体が金属膜及び保護膜からなり、その光反射体を少なくとも１面以上前記検知管外面に直接形成することを特徴とする請求項１〜６のいずれか記載の分光式特定成分センサ。
【請求項８】
前記検知管断面に１つ又は複数の平面形状部を設け、
前記平面形状部に前記光反射体を備えることを特徴とする請求項１〜７のいずれか記載の分光式特定成分センサ。
【請求項９】
前記検知管及び前記光反射体を曲面レンズ構造とすることを特徴とする請求項１〜７のいずれか記載の分光式特定成分センサ。
【発明の詳細な説明】
【技術分野】
【０００１】
本発明は、例えば、化学物質の同定あるいは定量評価に用いられる分光式特定成分センサに関するものである。
【背景技術】
【０００２】
従来、この種の分光式特定成分センサに用いられる分光計測技術は、化学物質の同定あるいは定量評価の手法としてしばしば用いられ、紫外域、可視域、赤外域の波長光を用いて、被検査物質に照射したときの透過光あるいは反射光の波長特性を評価する。物質の化学構造に伴う入射光の吸収の波長依存性を用いた分析手段のひとつである。
【０００３】
また、理化学研究用途だけでなく、食品工業、化学工業、農漁業分野などの工程管理、品質管理の道具として工業的応用がなされ、あるいはガスセンサー、湿度センサ、火災センサなど環境測定・防災分野への展開が可能である。
【０００４】
上記分光計測技術の中でも赤外光を用いた分析技術が、化学分析、農業食品分析、医薬品用途などで使用される。例えば非特許文献１には、広い波長域においての分析時には分光光度計が用いられ、短波長域あるいは特定波長成分のみ使用するときは光学多層膜によるバンドパスフィルタ又は傾斜膜厚バンドパスフィルタが使用されることもあると記載されている。しかし、幅広い波長域をカバーする分光光度計は大型で非常に高価であるので、安価で小型コンパクトな分光式センサを実現することは上記の用途において有効である。
【０００５】
従来からガス独自の波長吸収特性を利用した赤外域ガスセンサが種々、提案されている。これらは受光器で検知した光量からガスの種類、濃度を測定するものである。例えば、特許文献１には分光−受光器を複数個使用したスタテイック方式、特許文献２には分光部を可変測定させ１個の受光系からなるダイナミック方式が開示されている。スタテイック方式は赤外域を対象に素子ケース内に光学フィルタと受光素子とをセットして複数配置したものである。これに対し、ダイナミック方式はファブリペローエタロンを応用した波長可変な分光部と１個の受光素子から構成され、省電力化が可能という点で優れている。
【０００６】
また、特許文献３には、以下のような赤外線ガス分析計が開示されている。多層膜フィルタを固定し周期的に一定角度間を移動させる移動機構において、ソレノイドの励磁電源を制御部により一定周期でオンオフすると、ソレノイドの移動軸が水平方向に往復移動し、レバー（Ｂ）に搭載固定された多層膜フィルタは角度θの範囲内を往復移動する。この角度θは、およそ０〜４５°の範囲内で透過させるに必要な波長光により決められる。
【特許文献１】特開平３−２０５５２１号公報（第４頁−第６頁、及び、第２図）
【特許文献２】特開平９−７９９８０号公報（第３頁−第４頁、及び、第２図）
【特許文献３】特開２００１−２７６０１号公報（第２頁−第３頁、及び、第２図）
【非特許文献１】尾崎幸洋，河田聡、「近赤外分光法」、学会出版センター）
【発明の開示】
【発明が解決しようとする課題】
【０００７】
しかしながら、上記従来の赤外線ガス分析計などのように、スタテイック方式では、高価な受光素子を複数個使用せねばならず、測定波長が通常、数点以内に制限され素子の小型化に限界があり、ダイナミック方式のファブリペロー構造は、微細加工技術を用いているので、多工程からなるデバイスアセンブリ、製造歩留まりなどの課題を抱え、素子ごとにおいて加工精度にともなう測定波長のばらつきの問題があり、生産性という点で問題があった。
【０００８】
本発明は上述の点に鑑みて為されたものであり、その目的とするところは、良好な製造歩留まり且つ小型の光学系にて、流体物に含まれる特定成分を検出することができる分光式特定成分センサを提供することにある。
【課題を解決するための手段】
【０００９】
請求項１に記載の発明は、気体又は液体からなる流体物に含まれる特定成分を検出する分光式特定成分センサであって、ビーム光を出射する光源と、筒状に形成されその筒状内部が前記流体物の流路であり前記ビーム光が照射する検知管と、前記流路に対して前記光源の対岸側にあり前記ビーム光を反射させる光反射体と、前記流路に対して前記光源と同じ側にあり前記光反射体で反射された前記ビーム光を受光する受光器と、前記光源より前記光反射体を経由して前記受光器に至る光軸上に前記ビーム光を分光するフィルタ分光部とを備え、そのフィルタ分光部に、それぞれが前記光軸上に挿入するか否かを位置制御されるとともに異なる波長帯の光を透過させる光学多層膜フィルタを複数設けることを特徴とする。
【００１０】
この構造では、複数の光学多層膜フィルタをビーム光の光軸上に挿入できるように設け、光軸上に挿入される光学多層膜フィルタの組合せにより逐次複数の分光特性を測定することができるので、これら複数の分光特性により流体物に含まれる特定成分を小型の光学系にて検出することができる。また光反射体によりビーム光の流体物内における光路長を増大させることもできる。上記より、小型の分光式特定成分センサを実現することができる。
【００１１】
請求項２に記載の発明は、請求項１に記載の発明において、前記フィルタ分光部に電磁駆動により位置が変位するアーマチュアを複数設け、前記アーマチュアはそれぞれ異なる波長帯の光を透過する前記光学多層膜フィルタを備えることを特徴とする。この構造では、電磁駆動により位置が変位するアーマチュアのそれぞれに光学多層膜フィルタを備えるので、小型で高速制御が容易なフィルタ分光部を構成することができる。
【００１２】
請求項３に記載の発明は、請求項１に記載の発明において、前記フィルタ分光部に前記光軸に略直交する回転軸を有し回転駆動する回転体を複数設け、前記回転体の回転角度により前記ビーム光の入射角度が可変し異なる波長帯の光を透過する前記光学多層膜フィルタを前記回転体のそれぞれに備えることを特徴とする。この構造では、光学多層膜フィルタを備えた回転体の回転角度によりビーム光の入射角度が可変し光学多層膜フィルタの透過波長帯をシフトすることができるので、小型で高速制御が容易なフィルタ分光部を構成することができる。
【００１３】
請求項４に記載の発明は、請求項１に記載の発明において、前記フィルタ分光部に前記光軸に略平行する回転軸を有し回転駆動する回転体を複数設け、前記回転体の回転方向において膜厚が変化する傾斜厚み多層膜からなり異なる波長帯の光を透過する前記光学多層膜フィルタを前記回転体のそれぞれに備える。この構造では、回転体の回転角度により前記光軸上に挿入される光学多層膜フィルタの膜厚が可変し光学多層膜フィルタの透過波長帯をシフトすることができるので、小型で高速制御が容易なフィルタ分光部を構成することができる。
【００１４】
請求項５に記載の発明は、請求項１に記載の発明において、前記フィルタ分光部に前記光軸と略直交する回転軸を有し回転駆動する機構と、回転角度検出部とを備え、前記機構上に異なる波長帯の光を透過する前記光学多層膜フィルタを設けることを特徴とする。この構造では、ビーム光の光軸と垂直方向に回転軸を有し連続にて自転する光学多層膜フィルタを用いて、ビーム光の入射角を変化することで透過波長帯をシフトすることができるので、低コストで簡易な駆動系にて小型のフィルタ分光部を構成することができる。
【００１５】
請求項６に記載の発明は、請求項１〜５のいずれかに記載の発明において、前記受光器の受光素子は焦電素子であり、前記光学多層膜フィルタは、機械的駆動による前記光ビームに対するチョッパー機能を有することを特徴とする。焦電素子による受光検出は微分型であるので、本来ビーム光のチョッパーが必要であるが、この構造では、光学多層膜フィルタの機械的駆動をチョッパー機能として利用することができるので、チョッパーを不要にすることができる。
【００１６】
請求項７に記載の発明は、請求項１〜６のいずれかに記載の発明において、前記光反射体が金属膜及び保護膜からなり、その光反射体を少なくとも１面以上前記検知管外面に直接形成することを特徴とする。この構造では、直接検知管外面に光反射体を形成するので、部品点数を増やすことなく小型コンパクトな光学系のまま反射光路長を増加することができ、そして測定精度を向上させることができる。また保護膜を形成することで耐腐食性を確保することができる。
【００１７】
請求項８に記載の発明は、請求項１〜７のいずれかに記載の発明において、前記検知管断面に１つ又は複数の平面形状部を設け、前記平面形状部に前記光反射体を備えることを特徴とする。この構造では、光反射体が平面であるので、反射面においてビーム光径を変形することなく多重反射光学系を実現することができる。
【００１８】
請求項９に記載の発明は、請求項１〜７のいずれかに記載の発明において、前記検知管及び前記光反射体を曲面レンズ構造とすることを特徴とする。この構造では、検知管に入射するビーム光をレンズ効果にて拡大させ光反射体を介して出射部で集光させることで体積効果にて計測精度を向上させることができる。
【発明の効果】
【００１９】
本発明によれば、良好な製造歩留まり且つ小型の光学系にて、流体物に含まれる特定成分を検出することができる。
【発明を実施するための最良の形態】
【００２０】
（実施形態１）
先ず、実施形態１の基本的な構成について図１又は図２を用いて説明する。
【００２１】
実施形態１の分光式特定成分センサは、気体又は液体などの透光性を有する流体物の分光特性を測定してその流体物の特定成分の有無又は量を検出するものであり、図１に示すように、ハウジング１内に、光源２と、検知管３と、光反射体４と、受光器５と、フィルタ分光部６と、分光特性測定制御部７と、特定成分判定部８とを備える。
【００２２】
光源２は、被検出物である流体物に照射するためのビーム光を出射する。光源２は、例えば、赤外ＬＥＤなどを用いる。光源２の波長領域は、例えば、赤外線の場合、７８０ｎｍ〜１ｍｍである。
【００２３】
検知管３は筒状に形成される。検知管３の筒状内部は流体物の流路であり、その流体物にビーム光が照射される。
【００２４】
光反射体４は、検知対象の流体物の流路に対して光源２の対岸側となるように、検知管３に付帯又は近傍に設けられ、照射されたビーム光を反射する。つまり、光源２から検知管３に照射されたビーム光は、検知管３内の流体物の流路を透過した後に、光反射体４で反射し、再び流体物の流路を透過する。光反射体４は、例えば、金属膜、又は、金属膜と保護膜（例えば有機膜など）との組合せからなる。金属膜は、例えば、アルミ膜、金膜などを真空蒸着するか若しくはニッケルなどを無電解メッキして形成する。
【００２５】
受光器５は、検知対象の流体物の流路に対して光源２と同じ側にあり光反射体４で反射されたビーム光を受光する。受光器５には、受光素子として、例えばＩｎＧａＡｓＰＩＮフォトダイオードや微分型の検出素子の焦電素子などを用いる。
【００２６】
フィルタ分光部６は、光源２より光反射体４を経由して受光器５に至る光軸上に備えられる。図１では、光源２と検知管３との間に設けられている。フィルタ分光部６の内部は、図２（ａ）に示すように、複数の光学多層膜フィルタ６０を設け、この光学多層膜フィルタ６０の組合せによりビーム光を分光する。分光した光は、最終的には受光器５（図１参照）で受光される。また、フィルタ分光部６には、例えば、複数のアーマチュア６１を設ける。
【００２７】
各光学多層膜フィルタ６０は、所定のピーク波長を中心とするバンドパスフィルタであり、それぞれ異なる波長帯の光を透過させることができる。また、各光学多層膜フィルタ６０は、それぞれがビーム光の光軸上に挿入するか否かの位置制御を可能とする。なお、ビーム光の光軸上に、光学多層膜フィルタ６０をそれぞれの透過波長帯が重複しないような組合せで挿入した場合、ビーム光を全く透過させなくすることができるので、光学多層膜フィルタ６０はビーム光に対するチョッパーとしての機能も備える。
【００２８】
各アーマチュア６１は、それぞれが異なるピーク波長（λ１，λ２，λ３，λ４）を有する波長帯の光を透過させる光学多層膜フィルタ６０（例えば４個）を備える。また、アーマチュア６１は、例えば金属膜からなり、図２（ｃ）に示すように、近傍にマグネット６２を設けて電磁駆動により位置が変位する。すなわち、アーマチュア６１は、マグネット６２のオン又はオフなどで、図２（ａ）に示すように、光軸（図２（ａ）において左右方向）に対して垂直である駆動方向（図２（ａ）において上下方向）に位置が変位する。例えば、マグネット６２がオフにすると、アーマチュア６１上の光学多層膜フィルタ６０は、上下方向の矢印のストローク分だけ移動し、ビーム光の光軸上に挿入される。
【００２９】
分光特性測定制御部７は、図１に示すように、所定の分光特性を得るために、フィルタ分光部６内の光学多層膜フィルタ６０をそれぞれビーム光の光軸に挿入させるか否かを制御する。例えば、分光特性測定制御部７は、各アーマチュア６１（図２（ａ）参照）の移動を制御して、光学多層膜フィルタ６０のうちいくつかをビーム光の光軸上に挿入する。また、分光特性測定制御部７は、受光器５が測定した受光量を記憶する。
【００３０】
特定成分判定部８は、それぞれの光学多層膜フィルタ６０の制御を変更して得られた複数の分光特性測定結果より流体物の特定成分の有無又は量を判定する。
【００３１】
次に、実施形態１の動作について説明する。光源２には赤外ＬＥＤ、受光器５にはＩｎＧａＡｓＰＩＮフォトダイオードを用いる。図２に示すように、アーマチュア６１上の光学多層膜フィルタとしてバンドパスフィルタ６０をビーム光の光軸（矢印方向）に沿って４個配置する。バンドパスフィルタ６０のピーク波長はそれぞれ、１５５２．５ｎｍ、１５５１．７ｎｍ、１５５０．９ｎｍ、１５５０．１ｎｍである。分光特性測定制御部７からの制御によりバンドパスフィルタ６０のうち１つだけをビーム光の光軸上に挿入させる。
【００３２】
図１に示すように、光源２から出射したビーム光はフィルタ分光部６に入射する。ビーム光は上記のように設定したバンドパスフィルタ６０を透過し検知管３に入射する。ビーム光は光反射体４で反射されて検知管３を出射し、受光器５により受光し、ビーム光の波長ごとの透過率を測定する。
【００３３】
図３は、それぞれのバンドパスフィルタ６０のうち１個だけ光軸上に挿入されているときのビーム光の波長に対する透過率を測定したデータである。なお、透過率０ｄＢとはバンドパスフィルタ６０がないときの透過率に相当する。それぞれのバンドパスフィルタ６０の透過率には、ピーク波長を中心とする透過波長帯が存在する。
【００３４】
被検出物の流体物を測定する場合は、分光特性測定制御部７（図１参照）により上記のような透過率の特性を持つバンドパスフィルタ６０の組合せを１通り若しくは複数通り決定し、検知管３の内部に被検出物の流体物を導入し組合せごとの分光特性を測定し、特定成分判定部８（図１参照）により流体物の特定成分を判定する。
【００３５】
以上、実施形態１によれば、複数の光学多層膜フィルタ６０をビーム光の光軸上に挿入できるように電磁駆動により位置が変位するアーマチュア６１上に設け、光軸上に挿入される光学多層膜フィルタ６０の組合せにより逐次複数の分光特性を測定することができるので、これら複数の分光特性により流体物に含まれる特定成分の有無又は量を、光軸と直交する面において小型になり且つ高速制御が容易なフィルタ分光部６で検出することができる。また光反射体４によりビーム光の流体物内における光路長を増大させることもできる。上記より、小型の分光式特定成分センサを実現することができる。
【００３６】
（実施形態２）
実施形態２は、ハウジング１内に、光源２と、検知管３と、光反射体４と、受光器５と、フィルタ分光部６と、分光特性測定制御部７と、特定成分判定部８とを備え、フィルタ分光部６に異なる波長帯の光を透過する光学多層膜フィルタ６０を複数設ける点では実施形態１と同様であるが、実施形態１にはない以下に記載の特徴部分がある。図４に示すように、フィルタ分光部６に光軸と略直交する回転軸を有し回転駆動する機構と、回転角度検出部６４とを備え、機構上に異なる波長帯の光を透過する光学多層膜フィルタ６０を設ける。
【００３７】
実施形態２の回転駆動する機構は、後述するような回転角度検出機構を設けている。ビーム光の光軸に略直交する回転軸を有し、小型モータ６４０により回転駆動する。小型モータ６４０は、光学多層膜フィルタ６０と同時にスリット板６４１も回転駆動させる。スリット板６４１は、例えば１８０度の関係で２つのスリット穴６４１ａを有し、その近傍にはフォトカプラ６４２が配置されている。スリット板６４１が連続して回転駆動し、スリット穴６４１ａがフォトカプラ６４２を通過したときに、図５に示すようなフォトカプラ信号を出力する。このフォトカプラ信号は予め設定された所定の回転角度のときに発生する。図５では、ビーム光の入射角度が０°の場合に測定するように設定している。スリット板６４１のスリット穴６４１ａと光学多層膜フィルタ６０との位置を調整することで、ビーム光の入射角度を変更することができる。
【００３８】
実施形態２の光学多層膜フィルタ６０は、実施形態１と異なる点として、光学多層膜フィルタ６０が、回転によりビーム光の入射角度が可変する膜である。入射光から斜め入射のとき光学特性が短波長側へシフトする現象を利用して任意の入射角度を設定する。光学多層膜フィルタ６０の入射角度を制御すると、全くビーム光を透過することができなくなり、ビーム光に対するチョッパーとしての機能を有する。このように、ビーム光の入射角度が変わり干渉の光路差にて透過波長帯をシフトさせて透過波長微調整を行ったり、それ自体をビーム光学系から外すことができる。そして、上記のような光学多層膜フィルタ６０を複数個配置することで幅広い波長域をカバーすることができる。
【００３９】
次に、実施形態２の連続自転するバンドパスフィルタ６０を用いた分光計測設計の一例を示す。ビーム光の入射角度を変更すると、図６に示すように、各波長に対する透過率の特性が変化し、光学多層膜フィルタ６０の透過スペクトルのバンドパス特性が低波長側へのシフトする。透過スペクトルのバンドパス特性が低波長側へのシフトする現象を示す。
【００４０】
被検出物の流体物を測定する場合は、図１に示す分光特性測定制御部７により上記のような透過率の特性を持つ光学多層膜フィルタ６０の組合せを１通り若しくは複数通り決定し、検知管３の内部に被検出物の流体物を導入し組合せごとの分光特性を測定し、特定成分判定部８により流体物の特定成分を判定する。
【００４１】
以上、実施形態２によれば、ビーム光の光軸と略直交する回転軸にして連続自転する光学多層膜フィルタ６０では回転角度によって、ビーム光の入射角度が変化し透過波長帯をシフトすることができるので、低コストで簡易な駆動系にて、光軸と直交する面において小型になり且つ高速制御が容易なフィルタ分光部６を構成することができる。
【００４２】
なお、実施形態２の変形例として、図７に示すように、フィルタ分光部６（図１参照）に、光軸と回転軸とが偏芯位置になるような回転体６３を複数設け、回転体６３の回転角度により前記ビーム光の入射角度が可変する光学多層膜フィルタ６０を回転体６３のそれぞれに備えてもよい。このような構成にすると、回転体６３の回転角度によりビーム光の入射角度が可変し光学多層膜フィルタ６０の透過波長帯をシフトすることができるので、光軸と直交する面において小型になり且つ高速制御が容易なフィルタ分光部６を構成することができる。
【００４３】
（実施形態３）
実施形態３は、ハウジング１内に、光源２と、検知管３と、光反射体４と、受光器５と、フィルタ分光部６と、分光特性測定制御部７と、特定成分判定部８とを備え、フィルタ分光部６に異なる波長帯の光を透過する光学多層膜フィルタ６０を複数設ける点では実施形態１と同様であるが、実施形態１にはない以下に記載の特徴部分がある。図８に示すように、フィルタ分光部６（図１参照）に回転駆動する回転体６３を複数設け、それぞれの回転体６３に光学多層膜フィルタ６０を備える。
【００４４】
実施形態３の回転体６３は、図９に示すように、例えば、円盤状の基板からなり、後述するような回転角度検出機構を設けている。ビーム光の光軸に略平行する回転軸を有し、この回転軸は光軸からずれている。小型モータ６４０により回転駆動する。小型モータ６４０は、回転体６３と同時にスリット板６４１も回転駆動させる。スリット板６４１は、例えば２つのスリット穴６４１ａを１８０度の関係で設け、その近傍にはフォトカプラ６４２が配置されている。スリット板６４１が連続して回転駆動し、スリット穴６４１ａがフォトカプラ６４２を通過したときに、フォトカプラ信号が発生する。このフォトカプラ信号は所定の回転角度のときに発生する。
【００４５】
実施形態３の光学多層膜フィルタ６０は、実施形態１と異なる点として、図８に示すように、回転体６３の回転方向において傾斜した膜厚分布を有するサーキュラタイプ多層膜からなり、この多層膜の厚みが可変すると透過波長帯はシフトする。上記より傾斜膜厚型の複数の光学多層膜フィルタ６０では、回転体６３の回転軸と光軸がずれているので、それぞれの光学多層膜フィルタ６０の回転位置を独立に変化させることで、膜厚が変化して任意の波長光のみを透過させることができる。なお、光学多層膜フィルタ６０を使用しないときは、回転体６３を回転駆動させて回転位置を膜未形成部６３ａに設定すると全波長域のビーム光が透過する。
【００４６】
また、実施形態３では、受光器５（図１参照）の受光素子（図示せず）に焦電素子を用いる。焦電素子は微分型の検出素子であるので、パルス状のビーム光を必要とする。そこで、光学多層膜フィルタ６０の機械的駆動によりビーム光の透過を制御して、光学多層膜フィルタ６０をビーム光のチョッパーとして用いている。
【００４７】
次に、実施形態３の傾斜膜厚型の光学多層膜フィルタ６０を用いた分光計測設計の一例を示す。光学多層膜フィルタ６０の回転位置を変えると、図１０に示すように、各波長に対する透過率の特性が変化し、膜厚が厚いほど光学多層膜フィルタ６０の透過波長帯は低波長側へシフトする。
【００４８】
被検出物の流体物を測定する場合は、図１に示す分光特性測定制御部７により上記のような透過率の特性を持つ光学多層膜フィルタ６０の組合せを１通り若しくは複数通り決定し、検知管３の内部に被検出物の流体物を導入し組合せごとの分光特性を測定し、特定成分判定部８により流体物の特定成分を判定する。
【００４９】
以上、実施形態３によれば、回転体６３の回転位置により光学多層膜フィルタ６０の透過波長帯をシフトすることができるので、光軸と直交する面において小型になり且つ高速制御が容易なフィルタ分光部６を構成することができる。
【００５０】
また、受光器５に焦電素子（図示せず）を用いても、光学多層膜フィルタ６０の機械的駆動をチョッパー機能として利用することができるので、チョッパーを不要にすることができる。
【００５１】
（実施形態４）
実施形態４は、ハウジング１内に、光源２と、検知管３と、光反射体４と、受光器５と、フィルタ分光部６と、分光特性測定制御部７と、特定成分判定部８とを備え、フィルタ分光部６に異なる波長帯の光を透過する光学多層膜フィルタ６０を複数設ける点では実施形態１と同様であるが、実施形態１にはない以下に記載の特徴部分がある。図１１に示すように、金属膜及び保護膜からなる光反射体４を検知管３の外面に直接備え、検知管３と一体化する。例えば、検知管３のサファイアパイプ外面の一部に金膜を蒸着してさらに有機系保護膜を被うようにコートする。
【００５２】
また、メタンや一酸化炭素を含む炭化水素系など炭素成分を含有する有機ガス、水蒸気などは近赤外線あるいは中赤外線域にその分子構造に起因する波長吸収域がある特定ガスのセンサとして応用することを特徴とする。
【００５３】
図１２，１３に、被検知物である流体物のガスとして都市ガス（主成分がメタンである。）と一酸化炭素をそれぞれ検知管３内に導入したときの光量を示す。これらの図より、それぞれの気体ごとに波長依存性が異なるので、実施形態４がガスセンサーとして機能するといえる。
【００５４】
以上、実施形態４によれば、光反射体４は直接検知管３外面に金属膜として形成されるので、部品点数を増やすことなく小型コンパクトな光学系のまま反射光路長を増加することができ、そして測定精度を向上させることができる。また、金属膜の上に有機保護膜を形成することで、耐腐食性を確保することができる。
【００５５】
さらに、炭化水素系など炭素成分を含有する有機ガス、水蒸気などのガスセンサーとしての応用が可能であり、小型コンパクトなガス検知器を実現することができる。
【００５６】
なお、実施形態４の変形例として、図１４に示すように、金属膜からなる光反射体４を１面のみ設けてもよい。
【００５７】
実施形態４の他の変形例として、図１５に示すように、複数の光反射体４を設けてもよい。このような構成では、多重反射光路となり、複数の光反射体４の部品点数を増やすことなく、さらに反射光路長を大幅に増加させることができる。
【００５８】
また、実施形態４の他の変形例として、図１６に示すように、流路方向を軸として正反射面金属膜など鏡面反射する光反射体４を螺旋状に検知管３の外面に複数設けてもよい。このような構成は、流路方向に多重反射光路となるので、検知管３内の反射光路長を大幅に増大させて計測精度を向上させることができる。
【００５９】
さらに、実施形態４の他の変形例として、図１７に示すように、検知管３の光学測定部形状を球形状として、外面の粗面化を行い、その後金属膜など乱反射する光反射体４を球面上に設けてもよい。このように乱反射することで、検知管３内の複数の多重反射光学系により光路長を増大させ計測精度を向上させることができる。
【００６０】
（実施形態５）
実施形態５は、ハウジング１内に、光源２と、検知管３と、光反射体４と、受光器５と、フィルタ分光部６と、分光特性測定制御部７と、特定成分判定部８とを備え、フィルタ分光部６に異なる波長帯の光を透過する光学多層膜フィルタ６０を複数設ける点では実施形態１と同様であるが、実施形態１にはない以下に記載の特徴部分がある。図１８に示すように、検知管３断面に平面形状部３０を２つ設け、それぞれの平面形状部３０は内側の平面部に光反射体４を備える。
【００６１】
検知管３内のビーム光の光路は、矢印のように、それぞれの平面形状部３０の光反射体４により順に反射される。また、ビーム光は平面部で反射されるのでビーム光径が変形することがない。
【００６２】
以上、実施形態５によれば、光反射体４が平面であるので、反射面においてビーム光径を変形することなく多重反射光学系を実現し、光路長を増加させて測定精度を向上させることができる。
【００６３】
なお、実施形態５の変形例として、平面形状部３０を３つ以上設けてもよい。このような構成では、さらに光路長を増加させることができ測定精度を向上させることができる。
【００６４】
また、実施形態５の他の変形例として、平面形状部３０を１つのみ設けてもよい。このような構成でも、ビーム光径の変形を防ぐことができる。
【００６５】
（実施形態６）
実施形態６は、ハウジング１内に、光源２と、検知管３と、光反射体４と、受光器５と、フィルタ分光部６と、分光特性測定制御部７と、特定成分判定部８とを備え、フィルタ分光部６に異なる波長帯の光を透過する光学多層膜フィルタ６０を複数設ける点では実施形態１と同様であるが、実施形態１にはない以下に記載の特徴部分がある。図１９に示すように、検知部３のビーム光が入射部に入射部レンズ３１ａを、出射部に出射部レンズ３１ｂを設け、検知管３及び光反射体４を曲面レンズ構造とする。
【００６６】
光源２からのビーム光は、先ず入射部レンズ３１ａによりビーム径が拡大する。次に、ビーム径が拡大したビーム光は検知管３内を透過し光反射体４で反射する。そして、光反射体４からの反射光は出射部レンズ３１ｂに集光、コリメートされ平行光となる。
【００６７】
以上、実施形態６によれば、検知管３に入射するビーム光をレンズ効果にて拡大させ光反射体４を介して出射部で集光させることで体積効果にて計測精度を向上させることができる。
【図面の簡単な説明】
【００６８】
【図１】本発明による実施形態１の分光式特定成分センサの構成図である。
【図２】同上の光学多層膜フィルタの構成図であって、（ａ）は側面図、（ｂ）は上面図、（ｃ）は（ｂ）のＡ’〜Ａの断面図である。
【図３】同上の各バンドパスフィルタの透過率を示す図である。
【図４】本発明による実施形態２の分光式特定成分センサにおける光学多層膜フィルタの構成図であって、（ａ）は上面図、（ｂ）は断面図、（ｃ）はスリット板を示す図ある。
【図５】同上の測定タイミングを示す図である。
【図６】同上のレーザ光の入射角度に対する透過率を示す図である。
【図７】同上の光学多層膜フィルタの変形例を示す図である。
【図８】本発明による実施形態３の分光式特定成分センサにおける光学多層膜フィルタの構成図である。
【図９】同上の光学多層膜フィルタの側面図である。
【図１０】同上の光学多層膜フィルタの回転角度に対する透過率を示す図である。
【図１１】本発明による実施形態４の分光式特定成分センサにおける光反射体の設置図である。
【図１２】同上を用いて都市ガス（メタン）を測定したときの結果を示す図である。
【図１３】同上を用いて一酸化炭素ガスを測定したときの結果を示す図である。
【図１４】同上の光反射体の変形例を示す図である。
【図１５】同上の複数の光反射体を示す図である。
【図１６】同上の螺旋状に設けられる光反射体を示す図である。
【図１７】同上の乱反射する光反射体の設置図である。
【図１８】本発明による実施形態５の分光式特定成分センサにおける光反射体の設置図である。
【図１９】本発明による実施形態６の分光式特定成分センサにおける光反射体の設置図である。
【符号の説明】
【００６９】
１  ハウジング
２  光源
３  検知管
４  光反射体
５  受光器
６  フィルタ分光部
６０  光学多層膜フィルタ
７  分光特性測定制御部
８  特定成分判定部
【図１】
2005156329.tif 000003
【図２】
2005156329.tif 000004
【図３】
2005156329.tif 000005
【図４】
2005156329.tif 000006
【図５】
2005156329.tif 000007
【図６】
2005156329.tif 000008
【図７】
2005156329.tif 000009
【図８】
2005156329.tif 000010
【図９】
2005156329.tif 000011
【図１０】
2005156329.tif 000012
【図１１】
2005156329.tif 000013
【図１２】
2005156329.tif 000014
【図１３】
2005156329.tif 000015
【図１４】
2005156329.tif 000016
【図１５】
2005156329.tif 000017
【図１６】
2005156329.tif 000018
【図１７】
2005156329.tif 000019
【図１８】
2005156329.tif 000020
【図１９】
2005156329.tif 000021